(57)【特許請求の範囲】
【請求項１】
光源と、
複数の波長変更用のフィルタを有し、前記複数のフィルタから選択された少なくとも一のフィルタを前記光源により出射された光束上に配置して、撮像部の撮像対象を照明する照明光を生成する波長変更部と、
前記撮像部の撮像画像情報に基づいて、前記照明光の光量を制御信号により制御する光量制御部と、を有し、
前記波長変更部が、観察モードに応じて、前記一のフィルタを選択するとともに、波長変更動作中は、前記光量制御部は前記照明光の前記光量の制御を停止することを特徴とする光源装置。
【請求項２】
前記波長変更部が波長変更動作中は、前記光量制御部は前記制御信号を第１の所定値に保持することを特徴とする請求項１に記載の光源装置。
【請求項３】
前記光量制御部が、前記照明光の前記光量を制御する複数の光量制御手段を有し、
前記波長変更部が波長変更動作中は、前記光量制御部は、少なくとも一の前記光量制御手段の制御を停止することを特徴とする請求項１または請求項２に記載の光源装置。
【請求項４】
前記波長変更部が、円周上に前記複数のフィルタが配設されたターレットを複数個有しており、
前記複数のターレットは、それぞれが一のフィルタを、前記光源により出射された光束上に配置することを特徴とする請求項１から請求項３のいずれか１項に記載の光源装置。
【請求項５】
波長変更動作中に予め設定された所定の時間を経過しても選択されたフィルタが前記光束上に配置されない場合に、前記光量制御部は前記制御信号を第２の所定値に保持することを特徴とする請求項１から請求項４のいずれか１項に記載の光源装置。
【請求項６】
前記光量制御手段が、前記光源を制御する光源制御手段と、前記光束上に配置された絞り部を制御する絞り部制御手段とを有することを特徴とする請求項３に記載の光源装置。
【請求項７】
前記光源がキセノンランプであることを特徴とする請求項１から請求項６のいずれか１項に記載の光源装置。
【請求項８】
前記撮像部が内視鏡の撮像部である、請求項１から請求項７のいずれか１項に記載の光源装置を具備することを特徴とする内視鏡装置。
【発明の詳細な説明】
【技術分野】
【０００１】
本発明は、光源装置および内視鏡装置に関し、特に波長変更用のフィルタによる波長変更部を有する光源装置および前記光源装置を具備した内視鏡装置に関する。
【背景技術】
【０００２】
内視鏡は、医療分野等で広く利用されている。内視鏡は、細長い挿入部を有して構成されている。内視鏡は、体内に挿入部を挿入することによって、体内の臓器等を観察し、必要に応じて処置具挿通チャネル内に挿入した処置具を用いて各種処置をすることができる。
【０００３】
このような内視鏡を備えた内視鏡装置では、光源装置からの照明光をライトガイド等を用いて導光して被検体の目的部位を照明し、その戻り光を撮像部が取り込んで内視鏡像を得ている。
【０００４】
内視鏡装置は、撮像部により内視鏡像を撮像し、撮像信号を信号処理装置にて処理することにより、モニタに内視鏡画像を表示して術者が目的部位を観察できるようになっている。そして、内視鏡装置は、モニタに表示される内視鏡画像を術者が認識しやすくするために、モニタに表示される内視鏡画像の明るさを一定とするため、光量調整手段を有している。すなわち、撮像部が取り込んだ内視鏡画像情報を基に光源装置の光量調整手段が照明光の光量を制御している。
【０００５】
また、特開２０００−２５３３０７号公報に開示されている波長変更部を有する内視鏡装置においては、広帯域の波長成分を有する光を発生する光源の光から、観察モードに応じて波長変更部において所望の波長の光のみを選択し目的部位の照明に用いている。波長変更部においては、種々の観察モードに対応した照明光を生成するためには、複数の波長変更用のフィルタの中から仕様にあったフィルタを選択している。
【特許文献１】特開２０００−２５３３０７号公報
【発明の開示】
【発明が解決しようとする課題】
【０００６】
しかし、波長変更部を有する光源装置においては、波長変更部がフィルタを選択する動作、すなわち波長変更時には、一時的に目的の照明光と全く異なる照明光が発生してしまう。例えば、フィルタとフィルタの間の枠の影響で一時的に照明光が全く出射されなかったり、複数のフィルタの組み合わせによっては、予期できない強い光量の照明光が出射されることがある。かかる場合においても、光量調整手段はモニタに表示する内視鏡画像の明るさを一定に保つために光量を制御をするが、光量調整手段の応答性が照明光の変化に追従できずに、かえってモニタ画像が大きく乱れたりすることがあった。
【０００７】
ここで、図７は波長変更時における照明光の光量変化、光源であるランプの電流変化およびモニタの輝度変化を比較した図であり、横軸は時間を、縦軸は照明光量、絞り量、電流または輝度を示している。図７（Ａ）は、波長変更時において光量調整手段が照明光量を調整しない場合の照明光の光量変化を示している。そして、図７（Ａ）に示した照明光により照明された撮像対象を撮像した撮像画像情報を基に、光量調整手段がランプの電流制御を行った場合の電流変化（図７（Ｂ））、および絞り変化（図７（Ｃ））、を示している。そして、図７（Ｄ）は、図７（Ｂ）に示した制御が行われた際のモニタの輝度変化を示している。
【０００８】
図７（Ａ）に示すように、Ｔ１からＴ３の波長変更時、すなわち観察モード切り替え中には、照明光量は非常に激しく変動し、かつ、その変動は予測困難である。このため、光量調整手段がランプ光量をランプの電流値で制御している場合には、図７（Ｂ）に示すように、照明光量の変化に合わせてランプの電流値を大きく変化することになる。しかし、例えば、フィルタとフィルタの間の枠の影響で照明光が全く出射されない状態では、ランプの電流値を増加しても照明光量は増加しないため、光量調整手段は、さらにランプの電流値を増加してしまう。そして、光量調整手段の応答速度は有限である。
【０００９】
このため、図７（Ｄ）に示すように、光量調整手段の動作が、かえってモニタ輝度の激しい変動を発生させ、波長変更動作がＴ３で終了しても、Ｔ４になるまでは目的の輝度にはならないことがある。すなわち、光量調整手段の動作が、観察モード切り替えの操作のレスポンスを低下してしまうことがあった。また、光源装置は前記のような状態で照明光が全く出射されない場合には、過剰の電流をランプに印加するため、エネルギー効率が悪いだけでなく、ランプを冷却するためのファンの音が大きくなり、光源装置が騒音の発生源ともなっていた。
【００１０】
さらに、光源としてキセノンランプを用いた場合には、消灯閾値以下の電流となると消灯してしまい、消灯すると再点灯するには時間を要する。このため、波長変更時に照明光量が大きく増加した場合（図７（Ｄ）：Ｔ２）に、光量調整手段がランプ電流を消灯閾値以下にまで下げてしまうと、モニタの輝度が回復するには時間を要してしまう。例えば、ランプ消灯が波長変更動作の終了の直前の場合には、観察モード切り替え操作のレスポンスは極めて悪いものとなることがあった。
【００１１】
上記のように、撮像画像情報を基に光量調整を行う波長変更部を有する光源装置および前記光源装置を具備した内視鏡装置は、波長変更後のレスポンスが遅く、作業性が良くはないことがあった。
【００１２】
本発明は、観察モード切り替えのレスポンスが良く作業性の良い光源装置および前記光源装置を具備した内視鏡装置を提供することを目的とする。
【課題を解決するための手段】
【００１３】
本発明の光源装置は、撮像部の撮像対象を照明する照明光の光源と、複数の波長変更用のフィルタを有し、前記複数のフィルタから選択された少なくとも一のフィルタを前記光源により出射された光束上に配置して前記照明光を生成する波長変更部と、前記撮像部の撮像画像情報に基づいて、前記照明光の光量を制御信号により制御する光量制御部とを有し、前記波長変更部が、観察モードに応じて、前記一のフィルタを選択するとともに、波長変更動作中は、前記光量制御部は前記光量の制御を停止する。また、本発明の内視鏡装置は、前記撮像部が内視鏡の撮像部であり、前記光源装置を具備する。
【発明の効果】
【００１４】
本発明は、観察モード切り替えのレスポンスが良く作業性の良い光源装置および前記光源装置を具備した内視鏡装置を提供するものである。
【発明を実施するための最良の形態】
【００１５】
＜第１の実施の形態＞  
以下、図面を参照して本発明の第１の実施の形態の内視鏡装置１について説明する。  
図１は、本実施の形態にかかる内視鏡装置１の全体の構成を示す構成図であり、図２は、光源装置６の構成を説明するための構成図である。図１に示すように内視鏡装置１は、内視鏡２と、光源装置６と、ビデオプロセッサ４と、モニタ５とを有して構成されている。 内視鏡２は、被検体内に挿入される細長い挿入部３と、この挿入部３の基端側に連設される操作部７とを有している。挿入部３は、軟性を有する挿入部３の先端側に設けられた湾曲部３Ａと、この湾曲部３Ａの先端側に設けられた先端部３Ｂとを有して構成されている。先端部３Ｂには、被検体内の観察部位９を撮像する撮像部であるＣＣＤ１６（図２参照）が内蔵されており、ＣＣＤ１６の撮像信号はビデオプロセッサ４を介して、モニタ５の表示画面に表示される。一方、光源装置６から供給される照明光は、ライトガイド１５（図２参照）により挿入部３の先端側まで伝達される。
【００１６】
すなわち、図２に示すように、光源装置６の光源であるキセノンランプ（Ｘｅランプ）２１から供給された光は、レンズ２４等の光学系により光束１０として集光され、波長変更部３０で所望の波長の光のみが選択される。光源装置６において光量調整は光源制御部２２内の光量制御部２７で行われる。光量制御部２７は、光源であるキセノンランプ２１の電流を制御するキセノンランプ制御部（Xe制御部）２８と、光束上に配置された絞り部２０の絞り量を制御する絞り制御部２９とから構成されている。
【００１７】
キセノンランプ２１は、管球中に高圧のキセノンを封入し、キセノン（Ｘｅ）中の放電を利用したランプである。キセノンランプ２１は極めて高輝度の光源であるばかりでなく、発生するランプ光は太陽光によく似た広い波長域成分の連続スペクトルで紫外線も強い。このため、キセノンランプ２１を光源として用いた光源装置は、波長変更部３０で所望の波長の光のみを選択することで、種々の観察モードに対応した照明光を発生することができるため、内視鏡装置１の光源装置として特に好ましい。なお、キセノンランプ２１のランプ光量は電流により制御可能であるが、消灯閾値以下の電流になると消灯してしまい、点灯時には高電圧を印加する必要があり、瞬時の再点灯は不可能である。
【００１８】
絞り部２０は、例えば、回転軸を中心に鉛直面を回転移動する絞り羽を用いて、絞り部２０を通過する光束の面積を制限する光量調整手段であり、簡単な構造でありながら、高速応答が可能である。絞り部２０の制御には、絞り羽が取り付けられたモータ（Ｍ）を制御する。なお、絞り部２０は、波長変更部３０の後ではなく、波長変更部３０の前あるいは波長変更部３０中に配設してもよい。
【００１９】
絞り部２０にて光量が調整された照明光は、ライトガイド１５の端部１５Ａに導光される。そして、照明光はライトガイド１５のもう一方の端部１５Ｂまで伝達され、端部１５Ｂの端面に配設された図示しない照明光学系から被検体の観察部位９を照明するようになっている。
【００２０】
ここで、モニタ５に表示される撮像画像の明るさ、すなわち輝度が、観察部位９と先端部３Ｂ間の距離または観察部位９の反射率等により一定でないと、術者は観察部位９の正確な認識が困難となる場合がある。このため、光量制御部２７は、ビデオプロセッサ４からの輝度信号が基準輝度信号とほぼ同一となるように、キセノンランプ２１の制御信号である電流および／または絞り部２０の制御信号である絞り部２０のモータに印加する電流等を制御する。
【００２１】
なお、光量制御部２７は、撮像部であるＣＣＤ１６が撮像した、光源装置６からの照明光により照明された観察部位９の撮像画像情報に基づいて、照明光の光量を制御している。
【００２２】
次に、波長変更部３０について、図３を用いて説明する。図３は本実施の形態の光源装置６の波長変更部３０を説明するための斜視図である。なお、図を簡略化するために、図３においては光学系や駆動モータ（Ｍ）等は図示していない。波長変更部３０は、広い波長域成分を有するキセノンランプ２１のランプ光から、観察モードに応じた波長の照明光を、波長変更用のフィルタを用いて生成する。
【００２３】
図３には、Ａ１からＡ６の６種類のフィルタが円周上に配設されたターレットＡ（２６Ａ）と、Ｂ１からＢ６の６種類のフィルタが円周上に配設されたターレットＢ（２６Ｂ）と、α１からα３の３種類のフィルタが外周上に配設されたフィルタユニットＡ（２５Ａ）と、β１からβ３の３種類のフィルタが外周上に配設されたフィルタユニットＢ（２５Ｂ）とからなる波長変更部３０を示している。ターレットＡおよびターレットＢは、それぞれのターレットの中心軸を中心に、それぞれが独立してモータ（Ｍ）で回転可能な構造を有している。一方、フィルタユニットＡおよびフィルタユニットＢは、それぞれのフィルタユニット全体が、それぞれ独立してモータ（Ｍ）で前後に移動可能な構造であり、通常はフィルタユニット自体は図示しないモータにより常時、回転状態にある。
【００２４】
図３に示した波長変更部３０では、ターレットＡ（２６Ａ）ではフィルタＡ１が、ターレットＢ（２６Ｂ）ではフィルタＢ１が、フィルタユニットＡ（２５Ａ）ではフィルタα１が、フィルタユニットＢ（２５Ｂ）ではフィルタβ１が、それぞれ光束１０上に配置されている状態を示している。すなわち、キセノンランプ２１の光は、フィルタＡ１と、フィルタＢ１と、フィルタα１と、フィルタβ１とを通過することで、ランプ光の中から所望の波長の光のみが選択され照明光が生成されている。
【００２５】
すなわち、波長変更部３０は、円周上に複数のフィルタが配設されたターレットを複数個有しており、複数のターレットは、それぞれが一のフィルタを、光源により出射された光束１０上に配置することで照明光を生成している。
【００２６】
なお、光束１０上に配置するフィルタは少なくとも１個あればよい。複数のターレットを有する波長変更部３０の場合には、フィルタが配設されていないフィルタ配設部、すなわちターレットに設けられた穴を有するターレットを用い、その穴を光束１０が通過するようにすればよい。あるいは、光源からのランプ光を全て透化するフィルタを有するターレットを用いても、事実上、１個のフィルタを光束１０上に配置したのと同様の効果を得ることが可能である。すなわち、本実施の形態において、「複数のターレットは、それぞれが一のフィルタを、光源により出射された光束１０上に配置する」とは、上記のように、１個のフィルタのみを光束１０上に配置した場合を含むものである。
【００２７】
ここで、光源装置６が供給する観察モードの照明光としては、例えば、通常観察光、赤外用特殊観察光、狭帯域用特殊観察光、蛍光用特殊観察光、蛍光／赤外用通常観察光等である。また、例えばフィルタユニットにＲＧＢの３色のカラーフィルタを配設することで、白黒検出のＣＣＤ１６を用いても、画像処理によりカラーの内視鏡画像を得ることができる。
【００２８】
上記のように、波長変更部３０は、複数の波長変更用のフィルタを有し、複数のフィルタから選択された少なくとも一のフィルタをキセノンランプ２１により出射された光束１０上に配置して照明光を生成している。そして、波長変更部３０は、観察モードに応じて、上記フィルタを選択する。
【００２９】
そして、本実施の形態の光源装置６においては、波長変更部３０が、観察モードに応じて、フィルタを選択した後、すなわち、波長変更動作後には、すみやかにモニタ５の輝度を基準輝度信号とするために、本実施の形態の光源装置６の光量制御部２７は、図４に示す動作を行う。図４は、波長変更動作中における光量制御部２７の動作の流れを説明するためのフローチャートである。
【００３０】
以下、図４のフローチャートを用いて波長変更動作中における光量制御部２７の動作の流れを説明する。
【００３１】
＜ステップＳ１１＞  
光量制御部２７は、光源装置６の入力部２３またはビデオプロセッサ４等からの、観察モードの切り替え指示の入力信号の有無を判断している。そして、光量制御部２７は、観察モードの切り替え指示の入力信号があった（Ｙｅｓ）場合には、ステップＳ１２からの処理を、入力信号がない（Ｎｏ）場合には、ステップＳ１４からの処理を行う。
【００３２】
＜ステップＳ１２＞  
光量制御部２７は、観察モードの切り替え指示の入力信号があった（Ｙｅｓ）場合には、照明光量の制御を停止し、制御信号を第１の所定値に固定する。ここで、制御信号とは、キセノンランプ２１に印加する電流信号（以下「ランプ電流」と言う。）および／または絞り部２０のモータに印加する絞りの移動のための信号等である。本実施の形態の光源装置６においては、固定する制御信号の第１の所定値は、観察モードの切り替え指示の入力信号があった直前の値である。
【００３３】
＜ステップＳ１３＞  
光量制御部２７のキセノンランプ制御部２８は、例えば、観察モードの切り替え指示の入力信号があった直前のランプ電流を制御信号として、キセノンランプ２１に出力するため、キセノンランプ２１は発生するランプ光量が変化しない。
【００３４】
なお、以下の光量制御部２７の動作説明においては、説明を簡単にするため、キセノンランプ制御部２８の動作について説明し、絞り部２０の絞り量を制御する絞り制御部２９は光量制御を停止し、制御信号を観察モードの切り替え指示の入力信号がある直前の制御信号に固定する場合を説明する。
【００３５】
ここで、図５を用いて、本実施の形態の光源装置６の波長変更時における光量制御部２７の動作を説明する。図５は、本実施の形態の光源装置６の波長変更時における照明光の光量変化、キセノンランプ２１の電流変化、絞り量の変化、およびモニタ５の輝度変化を比較した図であり、横軸は時間を、縦軸は照明光量、電流、絞り量または輝度を示している。図５（Ａ）は、波長変更時において光量制御部２７が照明光量を調整しない場合の照明光の光量変化を示している。図５（Ｂ）および図５（Ｃ）は、光量制御部２７がキセノンランプ２１の電流制御および絞り部２０の制御信号を所定値に固定する制御を行った場合の電流および絞り量変化を示している。そして、図５（Ｄ）は、図５（Ｂ）および図５（Ｃ）に示した制御が行われた際のモニタ５の輝度変化を示している。
【００３６】
図５（Ａ）に示すように、光源装置６においても、先に説明した図７（Ａ）と同じように、Ｔ１からＴ３の波長変更時、すなわち観察モード切り替え中には、光量制御を行わないと照明光量は非常に激しく変動するものとする。
【００３７】
しかし、本実施の形態の光量制御部２７は、図５（Ｂ）のＢ１線に示すように、観察モード切り替え時には、照明光量の制御を停止し、制御信号すなわちランプ電流値を、観察モードの切り替え指示の入力信号があった直前の第１の所定値に固定する。このため、図５（Ｄ）のＣ１線に示すように、波長変更部３０のフィルタ配置状態の変化に対応して照明光量が変化するため、モニタ５の輝度は変動する。
【００３８】
しかし、光量制御部２７は、ランプ電流値が第１の所定値に固定されているため、波長変更動作がＴ３で終了すると、Ｔ４で直ちに目的の輝度に達することができる。また、キセノンランプ２１が波長変更動作中に消灯されてしまうことがない。このため、光量制御部２７は、観察モード切り替え操作のレスポンスがよい。また、光源装置６は、照明光が全く出射されない状態でも、過剰の電流をキセノンランプ２１に印加することがないため、無駄なエネルギーを消費しないだけでなく、キセノンランプ２１を冷却するためのファンの音が大きくならず光源装置の静音化も同時に実現することができる。
【００３９】
＜ステップＳ１４＞  
光量制御部２７は、観察モードの切り替え指示の入力信号がない場合（Ｓ１１：Ｎｏ）には、通常の照明光量の制御を行い、制御信号を出力する。
【００４０】
すなわち、最初に、光量制御部２７は、基準輝度信号を入力部２３から取得する。基準輝度信号はモニタ５に表示される表示画面の明るさの目標値である。基準輝度信号は術者が入力部２３に配設したダイヤル等で入力してもよいし、あるいはビデオプロセッサ４から入力されてもよい。
【００４１】
＜ステップＳ１５＞  
光量制御部２７は、輝度信号と基準輝度信号とを比較し、その差を算出する。
【００４２】
＜ステップＳ１６＞  
光量制御部２７は、輝度信号と基準輝度信号の差に応じた制御信号、すなわちキセノンランプ２１の電流値を算出する。なお、輝度信号と基準輝度信号の差が所定の範囲内の場合には、直前の制御信号と同じ値の制御信号を出力する。なお、輝度信号と基準輝度信号との差の所定の範囲とは、術者あるいは光源装置６の設計時に決定される値であり、前記範囲が狭すぎるとキセノンランプ２１の電流値が常時、細かく変化する状態となるため、処理回路の遅れ等の影響で表示画面の明るさがちらつくことがある。反対に、前記範囲が広すぎると、キセノンランプ２１が光量を変化すべき状態であっても、変化しないため、表示画面の明るさが適当でなくなる。
【００４３】
＜ステップＳ１３＞  
光量制御部２７がステップＳ１３で出力した制御信号によりキセノンランプ２１のランプ光量が変化し、モニタ５には術者が観察しやすい輝度の撮像画像が表示される。
【００４４】
＜ステップＳ１７＞  
光量制御部２７は、術者からの終了指示入力があるまで、ステップＳ１１からの動作を繰り返す。
【００４５】
本実施の形態の光源装置６は、すでに述べたように、観察モード切り替えの操作のレスポンスがよい。また、光源装置６は、無駄なエネルギーを消費しないだけでなく、静音化も同時に実現することができる。また、本実施形態の光源装置６を具備する内視鏡装置１は観察モード切り替えの操作のレスポンスが良く、操作性がよい。また内視鏡装置１は、省エネだけでなく静音性にも優れている。
【００４６】
＜第２の実施の形態＞  
以下、本発明の第２の実施の形態の光源装置６Ｂについて説明する。本実施の形態の光源装置の基本構成は第１の実施の形態の光源装置６と、ほぼ同じであるため、同じ構成要素には同じ符号を付し説明は省略し、以下、光源装置６Ｂの光量制御部２７による制御についてのみ説明する。
【００４７】
光源装置６Ｂにおいては、波長変更部３０が波長変更動作中は、キセノンランプ制御部２８の制御を停止し、図５（Ｂ）のＢ２線に示すように、制御信号、すなわちランプ電流を消灯閾値よりも少し高い電流値である第１の所定値に固定する。光源装置６Ｂにおいては、固定するランプ電流値の値を消灯閾値よりも少し高い電流値、例えば消灯閾値の１１０％、に設定するために、図５（Ｄ）のＣ２線に示すように、モニタ５の輝度が低いレベルでしか変動しないので、モニタ５の実質的な輝度の変動幅を小さくできる。そして、本実施の形態の光源装置６Ｂは、第１の実施の形態の光源装置６が有する効果に加えて、より低いランプ電流で保持するために、より無駄なエネルギーを消費しないだけでなく、より静音性が高い。また光源装置６Ｂを具備する内視鏡装置１Ｂは、第１の実施の形態の内視鏡装置１が有する効果に加えて、より無駄なエネルギーを消費しないだけでなく、より静音性が高い。
【００４８】
＜第３の実施の形態＞  
以下、本発明の第３の実施の形態の光源装置６Ｃについて説明する。光源装置６Ｃの基本構成は第２の実施の形態の光源装置と、ほぼ同じであるため、以下、同じ構成要素には同じ符号を付し説明は省略し、光源装置６Ｃの光量制御部２７による制御についてのみ説明する。
【００４９】
本実施の形態の光源装置６Ｃにおいては、波長変更部３０が波長変更動作中は、キセノンランプ制御部２８が制御を停止し、図６（Ｂ）のＢ３線に示すように、ランプ電流値を消灯閾値よりも少し高い電流値、例えば消灯閾値の１１０％である第１の所定値に固定すると同時に、絞り制御部２９が、絞り部２０による光量制御を停止し、制御信号を絞りが半開状態の所定値に固定する。
【００５０】
このため、光源装置６Ｃにおいては、図６（Ｄ）のＣ３線に示すように、波長変更動作中であってもモニタ５の輝度は安定している。
【００５１】
本実施の形態の光源装置６Ｃおよび光源装置を有する内視鏡装置１Ｃは、第２の実施の形態の光源装置６Ｂおよび内視鏡装置１Ｂが有する効果に加えて、観察モード切り替え中のモニタ５の輝度の変化が小さい。
【００５２】
なお、絞りを固定する制御信号の所定値は、絞りが半開状態でなく、全閉状態等の他の所定値であってもよい。また、光量制御部２７が、光量を制御する複数の光量制御手段を有する場合には、波長変更部３０が波長変更動作中は、光量制御部２７は、少なくとも一の光量制御手段の制御を停止すればよく、上記の第１から第４の実施の形態の光源装置６〜６Ｃで説明した例に限定されることはない。例えば、波長変更部３０が波長変更動作中は、キセノンランプ制御部２８はキセノンランプ制御部２８の制御を停止するが、絞り制御部２９は絞り部２０の制御を行う光源装置であっても、よい。
【００５３】
＜第４の実施の形態＞  
次に、本発明の第４の実施の形態の光源装置６Ｄについて説明する。光源装置６Ｄの基本構成は第１の実施の形態の光源装置６と、ほぼ同じであるため、以下、同じ構成要素には同じ符号を付し説明は省略し、光源装置６Ｄの光量制御部２７による制御についてのみ説明する。
【００５４】
本実施の形態の光源装置６Ｄは、波長変更動作中に予め設定された所定の時間を経過しても選択されたフィルタが光束１０上に配置されない場合に、光量制御部２７は制御信号を所定値に保持する。すでに説明したように、波長変更部３０は、必要なフィルタをモータで移動し光束１０上に配置することで所望の観察モードの照明光を生成している。しかし、稀に、波長変更部３０の動作がエラーを起こすことがある。さらに極めて稀ではあるが、図５（Ａ）のＡ１に示すような、非常に強い照明光量が発生するフィルタの組み合わせ状態で波長変更部３０が停止してしまう可能性もゼロではない。
【００５５】
光源装置６Ｄは、波長変更動作中に所定の時間を経過しても選択されたフィルタが光束１０上に配置されない場合には、光量制御部２７が制御信号を予め設定された第２の所定値に保持することで、被検体の観察部位９が非常に強い照明光を長時間受けることによるダメージを防止することができる。ここで、保持する制御信号の第２の所定値としては、ランプ光量を制御する場合には、ランプ電流値を消灯閾値よりも少し高い電流値、例えば消灯閾値の１１０％、が好ましく、絞り部を制御する場合には絞りが全閉状態の信号が好ましい。観察部位９のダメージを、より確実に防止するためである。なお、第２の所定値は、前述の第１の所定値以下の照明光量となる値、例えばランプ電流制御の場合には低電流、絞り部制御の場合には絞り部がより閉となる信号である。
【００５６】
また、上記の予め設定された所定の時間とは、種々の観察モード切り替えに要する時間の中で最長の時間を要する観察モード切り替え時間を超える時間であればよく、好ましくは最長の時間を要する観察モード切り替え時間の１１０％以上である。また、上記の所定の時間の上限は最長の時間を要する観察モード切り替え時間の２００％以下である。前記範囲内であれば、誤動作無く、観察部位９のダメージを、確実に防止することができる。
【００５７】
なお、波長変更部３０の動作がエラーを起こしたことを、判断するために、光源装置６Ｄでは、所定の時間を超えるか否かというタイマーを用いているが、波長変更部３０に切り替え検出部を配設し、モード切り替え指示に従った正しいフィルタ切り替えが行われているかを検出し、選択されたフィルタが、所定時間内に光束１０上に配置されない場合に、光量制御部２７が制御信号を所定値に保持するようにしてもよい。
【００５８】
本実施の形態の光源装置６Ｄおよび光源装置６Ｄを具備する内視鏡装置１Ｄは、第１の実施の形態の光源装置６および内視鏡装置１が有する効果に加えて、波長変更部３０がエラーを起こしても、被検体の観察部位９にダメージを与えることがなく、また、無駄なエネルギーを消費しないだけでなく、静音性が高い。
【００５９】
本発明は、上述した実施の形態および変形例に限定されるものではなく、本発明の要旨を変えない範囲において、種々の変更、改変等が可能である。
【図面の簡単な説明】
【００６０】
【図１】第１の実施の形態にかかる内視鏡装置の全体の構成を示す構成図である。
【図２】第１の実施の形態にかかる光源装置の構成を説明するための構成図である。
【図３】第１の実施の形態にかかる光源装置の波長変更部を説明するための斜視図である。
【図４】第１の実施の形態にかかる光源装置の波長変更動作中における光量制御部の動作の流れを説明するためのフローチャートである。
【図５】第１の実施の形態および第２の実施の形態にかかる光源装置の波長変更時における照明光の光量変化、光源であるランプの電流変化およびモニタの輝度変化を比較した図であり、横軸は時間を、縦軸は光量、電流または輝度を示している。
【図６】第３の実施の形態にかかる光源装置の波長変更時における照明光の光量変化、光源であるランプの電流変化およびモニタの輝度変化を比較した図であり、横軸は時間を、縦軸は光量、電流または輝度を示している。
【図７】従来の光源装置の波長変更時における照明光の光量変化、光源であるランプの電流変化およびモニタの輝度変化を比較した図であり、横軸は時間を、縦軸は光量、電流または輝度を示している。
【符号の説明】
【００６１】
１…内視鏡装置、２…内視鏡、３…挿入部、３Ａ…湾曲部、３Ｂ…先端部、４…ビデオプロセッサ、５…モニタ、６…光源装置、７…操作部、９…観察部位、１０…光束、１５…ライトガイド、１５Ａ…端部、１５Ｂ…端部、２０…絞り部、２１…キセノンランプ、２２…光源制御部、２３…入力部、２４…レンズ、２５Ａ、２５Ｂ…フィルタユニット、２６Ａ、２６Ｂ…ターレット、２７…光量制御部、２８…キセノンランプ制御部、２９…絞り制御部２９、３０…波長変更部、Ａ１〜Ａ６、Ｂ１〜Ｂ６…フィルタ、α１〜α３…フィルタ、β１〜β３…フィルタ
【図１】
0005420168.tif 000002
【図２】
0005420168.tif 000003
【図３】
0005420168.tif 000004
【図４】
0005420168.tif 000005
【図５】
0005420168.tif 000006
【図６】
0005420168.tif 000007
【図７】
0005420168.tif 000008